(57)【要約】【課題】耐衝撃性が向上した画像表示ユニットが搭載された電子機器を提供する。【解決手段】画像表示装置２０は、表示領域を備えた第１の面、及び第１の面と反対側の第２の面を備えた略矩形平板状の平面表示パネル２４と、平面表示パネルの第２の面側に重ねて配置され、表示領域に光を照射する略矩形平板状の面光源装置３０，３２と、平面表示パネルの側面および面光源装置の側面に沿って配置され、夫々の側面を保持するフレーム３４と、表示領域を露出させた状態で平面表示パネルの第１の面からフレームの側面までを覆うベゼル２２と、を有する。ベゼル２２は、平面表示パネルの第１の面の縁部およびフレームにおける第１の面側にある前面を覆う前面板部２２ａと、フレームにおける表示パネル及び面光源装置とは離れた側の側面を覆うと共に、段差を有してフレームの側面と当接する側面板部２２ｂ，２２ｃ，２２ｄと、を有する。【選択図】図３
2009151025.tif 000002
【特許請求の範囲】
【請求項１】
画像表示装置を備えた電子機器であって、
前記画像表示装置は、
表示領域を備えた第１の面、及び前記第１の面と反対側の第２の面を備えた略矩形平板状の平面表示パネルと、
前記平面表示パネルの前記第２の面側に重ねて配置され、前記表示領域に光を照射する略矩形平板状の面光源装置と、
前記平面表示パネルの側面および前記面光源装置の側面に沿って配置され、夫々の前記側面を保持するフレームと、
前記表示領域を露出させた状態で前記平面表示パネルの前記第１の面から前記フレームの側面までを覆うベゼルと、
を有し、
前記ベゼルは、
前記平面表示パネルの前記第１の面の縁部および前記フレームにおける前記第１の面側にある前面を覆う前面板部と、
前記フレームにおける前記表示パネル及び前記面光源装置とは離れた側の側面を覆うと共に、段差を有して前記フレームの側面と当接する側面板部と、
を有することを特徴とする電子機器。
【請求項２】
前記ベゼルの側面板部は、
前記フレームの前記側面の第１の部分と当接する第１の側面板部と、
前記フレームの前記側面の第２の部分と当接する第２の側面板部と、
前記第１の側面板部と前記第２の側面板部との間に設けられ、前記段差を構成する段差部と、
を有することを特徴とする請求項１に記載の電子機器。
【請求項３】
前記ベゼルの側面板部の段差部は、前記平面表示パネルの前記第２の面よりも後方の位置に形成されていることを特徴とする請求項２に記載の電子機器。
【請求項４】
前記ベゼルの側面板部の段差部は、前記第１の側面板部および前記第２の側面板部に対して直角に折れ曲がっていることを特徴とする請求項３に記載の電子機器。
【請求項５】
前記ベゼルは、金属製の板部材を折り曲げて形成された部材であることを特徴とする請求項４に記載の電子機器。
【請求項６】
前記フレームは、熱可塑性樹脂製の部材であることを特徴とする請求項５に記載の電子機器。
【請求項７】
前記フレームにおいて前記平面表示パネルの側面に沿った部分は、ゴム製の緩衝部材であることを特徴とする請求項６に記載の電子機器。
【請求項８】
前記面光源装置は、側方に配置された光源から照射される光を取り込んで、前面から均一に発光する導光体であることを特徴とする請求項７に記載の電子機器。
【請求項９】
前記平面表示パネルは、液晶表示パネルであることを特徴とする請求項８に記載の電子機器。
【請求項１０】
表示領域を備えた第１の面、及び前記第１の面と反対側の第２の面を備えた略矩形平板状の平面表示パネルと、
前記平面表示パネルの前記第２の面側に重ねて配置され、前記表示領域に光を照射する略矩形平板状の面光源装置と、
前記平面表示パネルの側面および前記面光源装置の側面に沿って配置され、夫々の前記側面を保持するフレームと、
前記表示領域を露出させた状態で前記平面表示パネルの前記第１の面から前記フレームの側面までを覆うベゼルと、
を有し、
前記ベゼルは、
前記平面表示パネルの前記第１の面の縁部および前記フレームにおける前記第１の面側にある前面を覆う前面板部と、
前記フレームにおける前記表示パネル及び前記面光源装置とは離れた側の側面を覆うと共に、段差を有して前記フレームの側面と当接する側面板部と、
を有することを特徴とする画像表示装置。
【発明の詳細な説明】
【技術分野】
【０００１】
本発明は、電子機器および画像表示装置に関する。
【背景技術】
【０００２】
従来文献（特開２００１−９２３６５号公報）には、液晶表示ユニットを備えた電気光学装置の一例が示されている。この電気光学装置では、液晶表示ユニットの後面から入射光を取り入れて、液晶表示ユニットにおいて入射光を調整し、調整後の光を液晶表示ユニットの前面から出射する。この電気光学装置では、液晶表示ユニットの後面から前面に光を通過させるように構成されたものである。また、液晶表示ユニットの周縁に配置された遮光性ケースは、入射側枠部、側面部および出射側枠部を有しており、液晶表示ユニットの周縁の３方向が覆われる構造である。
【０００３】
また、別の従来文献（特開２００７−５２２８５号公報）には、バックライトを有する液晶表示ユニットの一例が示されている。この液晶表示ユニットは、液晶表示パネルおよび導光体の周囲にフレームが配置され、さらにフレームの外側にベゼルが配置される構造を有している。液晶表示ユニットの周囲に配置されたベゼルは、前面および側面から構成されている。
【特許文献１】特開２００１−９２３６５号公報
【特許文献２】特開２００７−５２２８５号公報
【発明の開示】
【発明が解決しようとする課題】
【０００４】
液晶表示装置を内部に含んで構成された電子機器において、従来文献（特開２００７−５２２８５号公報）に示されるように、液晶表示装置の周囲に配置されたベゼルが前面および側面から構成されるものである場合には、電子機器が衝撃を受けた場合にベゼルが変形しやすい。その結果、液晶表示装置に局部的に大きな応力が作用するため、液晶表示装置に壊れやすくなる傾向がある。
【０００５】
本発明は、上記の課題を解決するためになされたもので、耐衝撃性が向上した画像表示装置、および、この画像表示装置が搭載された電子機器を提供することを目的とする。
【課題を解決するための手段】
【０００６】
上述した目的を達成するために、本発明に係る電子機器は、画像表示装置を備えた電子機器であって、画像表示装置は、表示領域を備えた第１の面、及び第１の面と反対側の第２の面を備えた略矩形平板状の平面表示パネルと、平面表示パネルの第２の面側に重ねて配置され、表示領域に光を照射する略矩形平板状の面光源装置と、平面表示パネルの側面および面光源装置の側面に沿って配置され、夫々の側面を保持するフレームと、表示領域を露出させた状態で平面表示パネルの第１の面からフレームの側面までを覆うベゼルと、を有し、ベゼルは、平面表示パネルの第１の面の縁部およびフレームにおける第１の面側にある前面を覆う前面板部と、フレームにおける表示パネル及び面光源装置とは離れた側の側面を覆うと共に、段差を有してフレームの側面と当接する側面板部と、を有することを特徴とする。
【０００７】
また、本発明に係る画像表示装置は、表示領域を備えた第１の面、及び第１の面と反対側の第２の面を備えた略矩形平板状の平面表示パネルと、平面表示パネルの第２の面側に重ねて配置され、表示領域に光を照射する略矩形平板状の面光源装置と、平面表示パネルの側面および面光源装置の側面に沿って配置され、夫々の側面を保持するフレームと、表示領域を露出させた状態で平面表示パネルの第１の面からフレームの側面までを覆うベゼルと、を有し、ベゼルは、平面表示パネルの第１の面の縁部およびフレームにおける第１の面側にある前面を覆う前面板部と、フレームにおける表示パネル及び面光源装置とは離れた側の側面を覆うと共に、段差を有してフレームの側面と当接する側面板部と、を有することを特徴とする。
【発明の効果】
【０００８】
本発明によれば、耐衝撃性が向上した画像表示装置、および、この画像表示装置が搭載された電子機器を提供することができる。
【発明を実施するための最良の形態】
【０００９】
以下、添付図面を参照して、本発明の好適な実施形態について詳細に説明する。なお、説明において、同一要素または同一機能を有する要素には、同一符号を用いることとし、重複する説明は省略する。
【００１０】
図１には、本発明の実施形態に係る電子機器１０として、ノートブック型のパーソナルコンピュータが示されている。図１に示されるように、ノートブック型のパーソナルコンピュータ１０は、コンピュータ本体１１と、ディスプレイユニット１２とから構成されている。ディスプレイユニット１２には、表示領域２４ａを前面に有するＬＣＤ（Liquid  Crystal  Display）である液晶表示装置２０が組み込まれている。
【００１１】
ディスプレイユニット１２は、コンピュータ本体１１に対して開放位置と閉塞位置との間を回動自在に取り付けられている。コンピュータ本体１１は、薄い箱型の筐体を有しており、その上面には、キーボードユニット１４、パーソナルコンピュータ１０の電源をＯＮ／ＯＦＦするためのパワーボタン１５及びタッチパッド１８等が配置されている。コンピュータ本体１１は、全体として略板状に構成されている。
【００１２】
次に、図２および図３を参照して、ディスプレイユニット１２の内部に配置された液晶表示装置２０について説明する。図２は、液晶表示装置２０を分解して示した分解図である。図３は、組立て後の液晶表示装置２０を切断して示した断面図である。
【００１３】
液晶表示装置２０は、光透過型の液晶表示装置であり、薄型化と低消費電力化が達成された平面表示装置である。液晶表示装置２０は、ベゼルカバー２２、液晶表示パネル２４、光学シート２８、導光板３０、冷陰極管３２、フレーム３４、反射シート３６、などを含んで構成されている。図２において、上側が液晶表示装置２０の前面側であり、下側が液晶表示装置２０の後面側である。
【００１４】
液晶表示パネル２４は、画像を表示する表示領域２４ａを有する略矩形平板状の平面表示パネルである。この液晶表示パネル２４は、矩形平板状のガラス板上に薄膜トランジスタ（Thin Film Transistor:ＴＦＴ）がマトリクス状に形成されたアレイ基板と、このアレイ基板に対向して配置される対向基板とを重ね合わせ、アレイ基板と対向基板との間に光変調層であるツイスト・ネマチック（ＴＮ）型の液晶層を注入して封止することにより構成される。液晶表示パネル２４は、ガラス板を含んで構成されており、比較的に重量の大きな部材である。
【００１５】
液晶表示パネル２４の一側縁には、この液晶表示パネル２４へと駆動信号を供給して、この液晶表示パネル２４を駆動させて制御する平板状のドライバ回路２６が電気的に接続されて取り付けられている。また、液晶表示パネル２４の前面（第１の面）２４ａおよび後面（第２の面）２４ｃのそれぞれには、図示されない矩形シート状の偏光板が重ねられた状態で取り付けられている。
【００１６】
導光板３０の前面３０ａには、この導光板３０の前面３０ａを覆う略矩形シート状の光学シート２８が取り付けられている。この光学フィルムは、集光シートや拡散シートなどの光学フィルムであり、導光板３０の前面３０ａから出射される光を光学的に変化させて集光させたり拡散させたりして、この導光板３０の前面３０ａの面内輝度の均一性および輝度の向上を図るものである。
【００１７】
導光板３０および冷陰極管３２によりバックライトが構成されている。バックライト３０，３２は、液晶表示パネル２４に均一な光を照射して入射させる面光源装置である。冷陰極管３２は、光を放射する管状光源であり、導光板３０の側方に配置されている。導光板３０は、液晶表示パネル２４に重ねて配置された略矩形平板状の部材であり、光透過性を有する樹脂により形成されている。導光板３０は、冷陰極管３２からの光を取り込んで、導光板３０の前面３０ａに導き、前面３０ａから均一な光を液晶表示パネル２４の後面２４ｃに照射する。なお、導光板３０は、光透過性を有する樹脂により形成されているため、比較的に重量の大きな部材である。
【００１８】
導光板３０の後面３０ｃには、この導光板３０の後面３０ｃを覆う矩形シート状の反射シート３６が取り付けられている。この反射シート３６は、この導光板３０の後面３０ｃにおいて光を反射する光学フィルムである。
【００１９】
液晶表示パネル２４および導光板３０の周囲には、略矩形枠状のフレーム３４が配置されている。フレーム３４は、液晶表示パネル２４および導光板３０の周囲にベゼルカバー２２を配置してから、液晶表示パネル２４および導光板３０とベゼルカバー２２との隙間に、熱可塑性樹脂を充填して固化して形成される部材である。フレーム３４は、液晶表示パネル２４および導光板３０の側面２４ｂ，３０ｂに沿って配置され、液晶表示パネル２４および導光板３０の側面２４ｂ，３０ｂに密接して、液晶表示パネル２４および導光板３０を保持する。なお、図２の手前側には冷陰極管３２が存在するため、フレーム３４の矩形枠状の一部は存在しない。
【００２０】
液晶表示パネル２４の前面２４ａ側には、略矩形枠状のベゼルカバー２２が取り付けられている。ベゼルカバー２２は、金属製の板部材を折り曲げて形成された部材である。ベゼルカバー２２は、フレーム３４の外側に配置され、液晶表示パネル２４の表示領域２４ａを露出させた状態で液晶表示パネル２４の前面２４ａからフレーム３４の側面３４ｂ，３４ｃまでを覆う。ベゼルカバー２２は、フレーム３４を介して液晶表示パネル２４および導光板３０を保持する。ベゼルカバー２２の中央には、液晶表示パネル２４の表示領域２４ａに対応して、この表示領域２４ａを露出させる矩形状の窓部が形成されている。液晶表示パネル２４において、ベゼルカバー２２の窓部の内側の部分は、カラー画像を表示可能な矩形状の表示領域２４ａとなっている。
【００２１】
ベゼルカバー２２の形状を詳しく説明する。ベゼルカバー２２は、液晶表示パネル２４の前面縁部２４ａｐおよびフレーム３４の前面３４ａを覆う前面板部２２ａと、フレーム３４の側面３４ｂ，３４ｃを覆う側面板部２２ｂ，２２ｃ，２２ｄと、からなる。ベゼルカバー２２の側面板部２２ｂ，２２ｃ，２２ｄは、フレーム３４の側面の前側部分（第１の部分）３４ｂと当接する前側側面板部（第１の側面板部）２２ｂと、フレーム３４の側面の後側部分（第２の部分）３４ｃと当接する後側側面板部（第２の側面板部）２２ｄと、前側側面板部２２ｂと後側側面板部２２ｄとの間の段差部２２ｃと、からなる。ベゼルカバー２２の段差部２２ｃは、前側側面板部２２ｂおよび後側側面板部２２ｄに対して直角に折れ曲がっている。
【００２２】
ベゼルカバー２２において前側側面板部２２ｂは後側側面板部２２ｄに対して膨らんだ形状となっており、前側側面板部２２ｂの内側のフレーム３４の厚さは液晶表示パネル２４の厚さと近い値なっている。このように、ベゼルカバー２２の前側側面板部２２ｂを膨らんだ形状とすることにより、液晶表示パネル２４の側面２４ｂに作用する応力が分散されて緩和される。また、ベゼルカバー２２の段差部２２ｃは、液晶表示パネル２４の後面２４ｃよりも後方の位置に形成されている。このようにベゼルカバー２２の段差部２２ｃを形成することにより、液晶表示パネル２４の側面２４ｂに作用する応力を均一にすることができる。
【００２３】
上述した液晶表示装置２０において、冷陰極管３２に電気エネルギを供給して冷陰極管３２を発光させると、この冷陰極管３２から放射された光は導光板３０に入射し、この導光板３０の前面３０ａから出射される。この後、この導光板３０の前面３０ａから出射された光は、光学シート２８によって集光されたり拡散されることにより、導光板３０の前面３０ａにおける面内輝度の均一性および輝度の向上が図られる。さらに、この光学シート２８を透過した光は、液晶表示パネル２４の表示領域２４ａへと照射される。この結果、液晶表示パネル２４の表示領域２４ａには、画像が表示される。
【００２４】
本実施形態の液晶表示装置２０では、液晶表示パネル２４および導光板３０をフレーム３４で囲うことにより、パーソナルコンピュータ１０を持ち運んでいる時に、パーソナルコンピュータ１０を床に落としてしまったり、パーソナルコンピュータ１０を障害物にぶつけてしまったりする状況に対処している。すなわち、パーソナルコンピュータ１０を床に落としてしまったり、パーソナルコンピュータ１０を障害物にぶつけてしまった場合には、液晶表示装置２０は衝撃を受けるが、樹脂製のフレーム３４により液晶表示パネル２４の側面２４ｂの受ける衝撃力を緩和することができる。
【００２５】
特に、本実施形態の液晶表示装置２０では、ベゼルカバー２２の段差部２２ｃを形成しており、この段差部２２ｃにより液晶表示装置２０の耐衝撃性能を格段に向上している。以下、ベゼルカバー２２の段差部２２ｃによる液晶表示装置２０の耐衝撃性能の向上について説明する。図４には、本実施形態の液晶表示装置２０と比較するために、従来技術の液晶表示装置２０におけるベゼルカバー２２変形を示している。これに対して、図５には、本実施形態の液晶表示装置２０におけるベゼルカバー２２の変形を示している。
【００２６】
図４では、従来技術の液晶表示装置５０において、通常時のベゼルカバー５２の形状を破線で示し、パーソナルコンピュータ１０を落とした時のベゼルカバー５２の形状を実線で示している。従来技術では、パーソナルコンピュータ１０を落とした時に、液晶表示パネル２４および導光板３０の重量が大きいために、ベゼルカバー５２において前面板部５２ａに対する側面板部５２ｂの撓みは大きい。このため、液晶表示パネル２４の側面２４ｂに作用する応力Ｓａ，Ｓｂ，Ｓｃは均一でなくなる。すなわち、液晶表示パネル２４の側面２４ｂの前側部分には大きな応力Ｓａが作用し、液晶表示パネル２４の側面２４ｂに作用する応力は後側ほど小さくなり、液晶表示パネル２４の側面２４ｂの後側部分には小さな応力Ｓｃが作用する。よって、液晶表示パネル２４には側面２４ｂの前側部分において亀裂が入りやすく、液晶表示パネル２４が壊れやすい傾向がある。
【００２７】
一方、図５では、本実施形態の液晶表示装置２０において、通常時のベゼルカバー２２の形状を破線で示し、パーソナルコンピュータ１０を落とした時のベゼルカバー２２の形状を実線で示している。本実施形態では、パーソナルコンピュータ１０を落とした時に、ベゼルカバー２２において前面板部２２ａに対する側面板部２２ｂ，２２ｃ，２２ｄの撓みは小さい。すなわち、ベゼルカバー２２に段差部２２ｃが設けられているため、ベゼルカバー２２の剛性が従来技術よりも高められており、ベゼルカバー２２の変形が小さい。このため、液晶表示パネル２４の側面２４ｂに作用する応力Ｓｅ，Ｓｆ，Ｓｇは、前側部分から後側部分までほぼ均一である。よって、液晶表示パネル２４には側面２４ｂに均一な応力が作用するため、液晶表示パネル２４の側面２４ｂに亀裂が入りにくく、液晶表示パネル２４の耐衝撃性能を高めることができる。
【００２８】
特に、本実施形態の液晶表示装置２０では、ベゼルカバー２２の段差部２２ｃは、液晶表示パネル２４の後面２４ｃよりも後方の位置に形成されている。よって、液晶表示パネル２４の側方に位置するフレーム３４の厚さが均一となり、液晶表示パネル２４の側面２４ｂに作用する応力を均一にすることができる。このため、液晶表示パネル２４の側面２４ｂに不均一な応力が作用することを防止して、液晶表示パネル２４の側面２４ｂに亀裂を入りにくくし、液晶表示パネル２４の耐衝撃性能を高めることができる。
【００２９】
図６は、上述した実施形態に係る液晶表示装置２０の変形例を示している。この変形例に係る液晶表示装置２０では、フレーム３８，４０の一部をゴム製の緩衝部材４０としている。すなわち、フレーム３８，４０において液晶表示パネル２４の側方の一部４０が、例えば熱硬化性エラストマーを主成分とする合成ゴムを材質としている。よって、パーソナルコンピュータ１０が落下した時に、液晶表示パネル２４の側面２４ｂに作用する応力を、ゴム製の緩衝部材４０により前述した実施形態よりもさらに分散して均一にすることができる。よって、液晶表示パネル２４の側面２４ｂに均一な応力が作用するため、液晶表示パネル２４の側面２４ｂに亀裂が入りにくく、液晶表示パネル２４の耐衝撃性能を高めることができる。なお、フレーム３８，４０において導光板３０の側方の一部３８は、前述した実施形態と同様に、熱硬化性樹脂を材質としている。
【００３０】
また、上記各実施の形態では、光変調層を液晶層とした液晶表示装置２０について説明したが、液晶表示装置２０以外の平面表示装置であっても、対応させて用いることができる。さらに、ＴＮモード以外の光透過型の液晶表示パネル２４にも利用できる。また、液晶表示パネル２４の後面２４ｃ側に配置されるバックライトの代わりに、この液晶表示パネル２４の前面２４ａ側に面光源装置であるフロントライトを配置させて、このフロントライトからの光を液晶表示パネル２４の前面２４ａ側に入射させて反射させる反射型の液晶表示装置とすることもできる。
【図面の簡単な説明】
【００３１】
【図１】本発明の実施形態に係るノートブック型パーソナルコンピュータを示す斜視図である。
【図２】本実施形態の液晶表示装置の分解斜視図である。
【図３】本実施形態の液晶表示装置の断面図である。
【図４】従来技術の液晶表示装置の変形を示す断面図である。
【図５】本実施形態の液晶表示装置の変形を示す断面図である。
【図６】変形例に係る液晶表示装置の断面図である。
【符号の説明】
【００３２】
１０…パーソナルコンピュータ（電子機器）、１１…コンピュータ本体、１２…ディスプレイユニット、１４…キーボードユニット、１５…パワーボタン、１８…タッチパッド、２０…液晶表示装置、２２…ベゼルカバー、２２ａ…前面板部、２２ｂ…前側側面板部、２２ｃ…段差部、２２ｄ…後側側面板部、２４…液晶表示パネル、２４ａ…前面（表示領域）、２４ａｐ…前面縁部、２４ｂ…側面、２４ｃ…後面、２６…ドライバ回路、２８…光学シート、３０…導光板、３０ａ…前面、３０ｂ…側面、３０ｃ…後面、３２…冷陰極管、３４…フレーム、３４ａ…前面、３４ｂ…側面（前側部分）、３４ｃ…側面（後側部分）、３６…反射シート、３８…フレーム（熱可塑性樹脂）、４０…フレーム（合成ゴム）。
【図１】
2009151025.tif 000003
【図２】
2009151025.tif 000004
【図３】
2009151025.tif 000005
【図４】
2009151025.tif 000006
【図５】
2009151025.tif 000007
【図６】
2009151025.tif 000008